【手続補正書】
【提出日】平成20年5月21日(2008.5.21)
【手続補正１】
【補正対象書類名】特許請求の範囲
【補正対象項目名】全文
【補正方法】変更
【補正の内容】
【特許請求の範囲】
【請求項１】
電子写真画像形成装置本体に着脱可能であって、前記電子写真画像形成装置本体に装着した状態で運搬可能なプロセスカートリッジにおいて、
電子写真感光体と、
現像剤を用いて、前記電子写真感光体に形成された静電潜像を現像するための現像ローラと、
前記現像剤を収納している現像剤収納部であって、前記現像剤を前記現像ローラへ供給するために、前記現像剤を通過させるための現像剤供給開口を有する現像剤収納部と、
前記現像剤供給開口を開封可能に閉じているシール部材と、
前記シール部材に設けられており、前記現像剤供給開口を開封するために、前記シール部材を前記現像剤供給開口から取り外す際に把持する把持部材であって、前記プロセスカートリッジを前記電子写真画像形成装置本体に装着した状態で運搬するために前記プロセスカートリッジを前記装置本体の所定位置へ進入させるのを許容する第一位置と、前記プロセスカートリッジを前記所定位置から取り外した際に前記第一位置から移動して、前記プロセスカートリッジを前記所定位置へ進入させるのを規制する第二位置とをとり得る把持部材と、
を有することを特徴とするプロセスカートリッジ。
【請求項２】
前記把持部材は、前記プロセスカートリッジを前記所定位置から取り外した際に弾性力によって前記第一位置から前記第二位置に移動することを特徴とする請求項１に記載のプロセスカートリッジ。
【請求項３】
前記弾性力はバネ部材によって付与されることを特徴とする請求項２記載のプロセスカートリッジ。
【請求項４】
前記把持部材は、リング状の把持部と、前記シール部材を係止するスリット部と、座面部と、該座面部から突出して設けられた、前記弾性力を受けて前記把持部を前記第一位置から第二位置へ移動させるリブと、前記プロセスカートリッジに設けられたカートリッジ枠体と結合する結合部と、前記結合部と前記座面部とを連続する変形可能な連結部と、を一体的に有し、前記把持部は前記座面部に対して曲がっていることを特徴とする請求項３に記載のプロセスカートリッジ。
【請求項５】
前記リブは前記バネ部材によって付勢され、該バネ部材に付勢される面はストレートな面であり、その反対側の面がテーパー形状であることを特徴とする請求項４記載のプロセスカートリッジ。
【請求項６】
前記把持部材は、リング状の把持部と、前記シール部材を係止するスリット部と、座面部と、該座面部に設けられた弾性を有し、該弾性力により前記把持部を前記第一位置から第二位置へ移動させる弾性突起部と、前記プロセスカートリッジに設けられたカートリッジ枠体と結合する結合部と、前記結合部と前記座面部とを連続する変形可能な連結部と、を一体的に有し、前記把持部は前記座面部に対して曲がっていることを特徴とする請求項２又は請求項３に記載のプロセスカートリッジ。
【請求項７】
前記把持部はリング形状であり、前記把持部材が前記第一位置にあるとき前記把持部のリング内に前記カートリッジ枠体に設けられた前記電子写真画像形成装置本体と電気的に接続される接点部が位置することを特徴とする請求項４乃至請求項６のいずれか１項に記載のプロセスカートリッジ。
【請求項８】
前記所定位置は、前記プロセスカートリッジを前記装置本体の内側へ進入するのを開始する位置であることを特徴とする請求項１乃至請求項７のいずれか１項に記載のプロセスカートリッジ。
【請求項９】
電子写真画像形成装置本体に着脱可能であって、前記電子写真画像形成装置本体に装着した状態で運搬可能な現像カートリッジにおいて、
現像剤を用いて、電子写真感光体に形成された静電潜像を現像するための現像ローラと、
前記現像剤を収納している現像剤収納部であって、前記現像剤を前記現像ローラへ供給するために、前記現像剤を通過させるための現像剤供給開口を有する現像剤収納部と、
前記現像剤供給開口を開封可能に閉じているシール部材と、
前記シール部材に設けられており、前記現像剤供給開口を開封するために、前記シール部材を前記現像剤供給開口から取り外す際に把持する把持部材であって、前記現像カートリッジを前記電子写真画像形成装置本体に装着した状態で運搬するために前記現像カートリッジを前記装置本体の所定位置へ進入させるのを許容する第一位置と、前記現像カートリッジを前記所定位置から取り外した際に前記第一位置から移動して、前記現像カートリッジを前記所定位置へ進入させるのを規制する第二位置とをとり得る把持部材と、
を有することを特徴とする現像カートリッジ。
【請求項１０】
前記把持部材は、前記現像カートリッジを前記所定位置から取り外した際に弾性力によって前記第一位置から前記第二位置に移動することを特徴とする請求項９に記載の現像カートリッジ。
【請求項１１】
前記弾性力はバネ部材によって付与されることを特徴とする請求項１０記載の現像カートリッジ。
【請求項１２】
前記把持部材は、リング状の把持部と、前記シール部材を係止するスリット部と、座面部と、該座面部から突出して設けられた、前記弾性力を受けて前記把持部を前記第一位置から第二位置へ移動させるリブと、前記現像カートリッジに設けられたカートリッジ枠体と結合する結合部と、前記結合部と前記座面部とを連続する変形可能な連結部と、を一体的に有し、前記把持部は前記座面部に対して曲がっていることを特徴とする請求項１１に記載の現像カートリッジ。
【請求項１３】
前記リブは前記バネ部材によって付勢され、該バネ部材に付勢される面はストレートな面であり、その反対側の面がテーパー形状であることを特徴とする請求項１２記載の現像カートリッジ。
【請求項１４】
前記把持部材は、リング状の把持部と、前記シール部材を係止するスリット部と、座面部と、該座面部に設けられた弾性を有し、該弾性力により前記把持部を前記第一位置から第二位置へ移動させる弾性突起部と、前記現像カートリッジに設けられたカートリッジ枠体と結合する結合部と、前記結合部と前記座面部とを連続する変形可能な連結部と、を一体的に有し、前記把持部は前記座面部に対して曲がっていることを特徴とする請求項１０又は請求項１１に記載の現像カートリッジ。
【請求項１５】
前記把持部はリング形状であり、前記把持部材が前記第一位置にあるとき前記把持部のリング内に前記カートリッジ枠体に設けられた前記電子写真画像形成装置本体と電気的に接続される接点部が位置することを特徴とする請求項１２乃至請求項１４のいずれか１項に記載の現像カートリッジ。
【請求項１６】
前記所定位置は、前記現像カートリッジを前記装置本体の内側へ進入するのを開始する位置であることを特徴とする請求項９乃至請求項１５のいずれか１項に記載の現像カートリッジ。
【請求項１７】
記録媒体に画像を形成する電子写真画像形成装置において、
(a)電子写真画像形成装置本体の装着部に取り外し可能に装着した状態で運搬可能なプロセスカートリッジであって、
電子写真感光体と、
現像剤を用いて、前記電子写真感光体に形成された静電潜像を現像するための現像ローラと、
前記現像剤を収納している現像剤収納部であって、前記現像剤を前記現像ローラへ供給するために、前記現像剤を通過させるための現像剤供給開口を有する現像剤収納部と、
前記現像剤供給開口を開封可能に閉じているシール部材と、
前記シール部材に設けられており、前記現像剤供給開口を開封するために、前記シール部材を前記現像剤供給開口から取り外す際に把持する把持部材であって、前記プロセスカートリッジを前記電子写真画像形成装置本体に装着した状態で運搬するために前記プロセスカートリッジを前記装置本体の所定位置へ進入させるのを許容する第一位置と、前記プロセスカートリッジを前記所定位置から取り外した際に前記第一位置から移動して、前記プロセスカートリッジを前記所定位置へ進入させるのを規制する第二位置とをとり得る把持部材と、
を有するプロセスカートリッジと、
(b)記録媒体を搬送するための搬送手段と、
を有することを特徴とする電子写真画像形成装置。
【請求項１８】
記録媒体に画像を形成する電子写真画像形成装置において、
(a)電子写真画像形成装置本体の装着部に取り外し可能に装着した状態で運搬可能な現像カートリッジであって、
電子写真感光体と、
現像剤を用いて、前記電子写真感光体に形成された静電潜像を現像するための現像ローラと、
前記現像剤を収納している現像剤収納部であって、前記現像剤を前記現像ローラへ供給するために、前記現像剤を通過させるための現像剤供給開口を有する現像剤収納部と、
前記現像剤供給開口を開封可能に閉じているシール部材と、
前記シール部材に設けられており、前記現像剤供給開口を開封するために、前記シール部材を前記現像剤供給開口から取り外す際に把持する把持部材であって、前記現像カートリッジを前記電子写真画像形成装置本体に装着した状態で運搬するために前記現像カートリッジを前記装置本体の所定位置へ進入させるのを許容する第一位置と、前記現像カートリッジを前記所定位置から取り外した際に前記第一位置から移動して、前記現像カートリッジを前記所定位置へ進入させるのを規制する第二位置とをとり得る把持部材と、
を有する現像カートリッジと、
(b)記録媒体を搬送するための搬送手段と、
を有することを特徴とする電子写真画像形成装置。
【手続補正２】
【補正対象書類名】明細書
【補正対象項目名】０００９
【補正方法】変更
【補正の内容】
【０００９】
上記課題を解決するための本発明における代表的な手段は、電子写真画像形成装置本体に着脱可能であって、前記電子写真画像形成装置本体に装着した状態で運搬可能なプロセスカートリッジにおいて、電子写真感光体と、現像剤を用いて、前記電子写真感光体に形成された静電潜像を現像するための現像ローラと、前記現像剤を収納している現像剤収納部であって、前記現像剤を前記現像ローラへ供給するために、前記現像剤を通過させるための現像剤供給開口を有する現像剤収納部と、前記現像剤供給開口を開封可能に閉じているシール部材と、前記シール部材に設けられており、前記現像剤供給開口を開封するために、前記シール部材を前記現像剤供給開口から取り外す際に把持する把持部材であって、前記プロセスカートリッジを前記電子写真画像形成装置本体に装着した状態で運搬するために前記プロセスカートリッジを前記装置本体の所定位置へ進入させるのを許容する第一位置と、前記プロセスカートリッジを前記所定位置から取り外した際に前記第一位置から移動して、前記プロセスカートリッジを前記所定位置へ進入させるのを規制する第二位置とをとり得る把持部材と、を有することを特徴とする。
【手続補正３】
【補正対象書類名】明細書
【補正対象項目名】００２４
【補正方法】変更
【補正の内容】
【００２４】
［カートリッジの構成］
次に本実施形態に係るカートリッジについて、図２及び図３により詳細に説明する。図２及び図３は現像剤を収納したカートリッジ７の主断面および斜視図を示している。なお、イエロー、マゼンダ、シアン、ブラックの各カートリッジ７ａ，７ｂ，７ｃ，７ｄは同一構成である。尚、カートリッジはイエロー色の現像剤を後述する現像剤収納部41に収納している。また、その他の色の現像剤も同様に、各カートリッジ７ｂ，７ｃ，７ｄの現像剤収納部41に収納している。
【手続補正４】
【補正対象書類名】明細書
【補正対象項目名】００３８
【補正方法】変更
【補正の内容】
【００３８】
図５に示すように、前記把持部材160はリング状の把持部161の端部にトナーシール150を係止するためのスリットを有するスリット部162が設けられている。そして、このスリット部162と連続するように座面部167が設けられ、この座面部167にリブ168が起立形成されている。さらに、前記軸受部材30に結合して固定される結合部163が設けられている。そして、前記結合部163と座面部167とは変形可能な連結部164によって一体的に連結されている。前記開口48を開封する際に、ユーザが把持部161をつかんで引っ張ることによって、トナーシール150が開口48から除去される。